(57)【要約】【課題】排水口１に排水トラップ３を取り付けると、洪水等により排水が逆流すると排水トラップ３が排水によって持ち上げられ、外れてしまう。【解決手段】上方から排水が流れてくると１対の排水扉３２が両側に開いて排水を落下させ、排水が逆流する場合には逆流扉４が逆流する排水によって押されて開き、排水を排水トラップ３の上方へと逃がすようにした。【選択図】  図１
2004150171.tif 000002
【特許請求の範囲】
【請求項１】
下水道に通じる排水口にセットされ、上方か流れてくる排水の重量によって自動的に開く排水扉を備えた排水トラップにおいて、下方からあふれてくる排水を排水扉の上方へ逆流させる逆流扉を設けたことを特徴とする排水トラップ。
【請求項２】
排水口の内部に形成された段部に載置される蓋板と、この段部とに挟まれるフランジ部を備え、このフランジ部が蓋板と段部とに挟まれることにより排水口にセットされることを特徴とする請求項１記載の排水トラップ。
【発明の詳細な説明】
【０００１】
【発明の属する技術分野】
本発明は、下水に通じる排水口にセットされ、上方か流れてくる排水の重量によって自動的に開く排水扉を備えた排水トラップに関する。
【０００２】
【従来の技術】
排水は下水道に連なる排水口に排水される。したがって、排水口は下水道に連通していなければならない。ところが、下水道には蚊などの害虫やネズミが生息しており、排水口が常に開放されていると、下水道内の害虫やネズミが排水口から出てくるという問題が生じる。
【０００３】
そこで、従来より多くのタイプの排水トラップが提案されている。このような排水トラップとして、例えば錘などの荷重で常時閉まる排水扉を設け、この排水扉で排水口を閉塞し、害虫やネズミが排水口から出てこないようにしたものが知られている。このものでは、排水が排水扉の上面にある程度の量が溜まると、排水の荷重で排水扉が自動的に開き、排水を下水道側へと流すように構成されている。そして、排水扉の上に溜まっていた排水がこのようにして排水されると、排水扉は錘の荷重によってふたたび閉じるように構成されている（特許文献１参照）。
【０００４】
【特許文献１】
特開２０００−８７４１１号公報（図１および図４）
【０００５】
【発明が解決しようとする課題】
上記公報により知られたものは、家庭用の排水用配管内に装着されるタイプのものである。一方、工場の床面や道路にも排水口が設けられており、このような排水口にも排水トラップを設置することが望まれる。
【０００６】
ところが、このような工場の床面や道路に設けられた排水口では、例えば集中豪雨時のように、下水道内の水位が上昇すると、排水口から排水が逆流することがある。このような場合に上記従来のタイプの排水トラップを設置していると、排水扉が閉鎖したままになって排水が逆流できない。そのため、逆流しようとする排水の圧力で排水トラップが破損し、あるいは排水トラップが外れてしまうという不具合が生じる。
【０００７】
そこで本発明は、上記の問題点に鑑み、排水が逆流しようとしても破損等することのない排水トラップを提供することを課題とする。
【０００８】
【課題を解決するための手段】
上記課題を解決するために本発明による排水トラップは、下水道に通じる排水口にセットされ、上方か流れてくる排水の重量によって自動的に開く排水扉を備えた排水トラップにおいて、下方からあふれてくる排水を排水扉の上方へ逆流させる逆流扉を設けたことを特徴とする。
【０００９】
この構成によれば、排水が逆流してきた場合には排水扉が閉まったままでも逆流扉が開き、この逆流扉を通って排水が逆流するので、排水トラップ自体が排水の圧力で持ち上げられたり、あるいは破損することはない。
【００１０】
なお、排水口の内部に形成された段部に載置される蓋板と、この段部とに挟まれるフランジ部を備え、このフランジ部が蓋板と段部とに挟まれることにより排水口にセットされるように構成すれば、排水トラップが設置されていない排水口にも何らの工事を必要とすることなくこの排水トラップを設置することができる。
【００１１】
【発明の実施の形態】
図１および図２を参照して、１は排水口であり、内部には段部１１が設けられている。この段部１１は鉄製の蓋板２を載置するために設けられており、蓋板２をこの段部１１に載置することにより排水口１を蓋板２で覆うことができる。
【００１２】
３は本発明による排水トラップであり、蓋板２の下方に位置するようにセットされるものである。この排水トラップ３の上面外周には外側へ拡がるフランジ３１が形成されている。このフランジ３１は段部１１とほぼ同じ形状をしており、排水トラップ３を排水構内に挿入すると、このフランジ３１が段部１１に載置される。そしてその上から蓋板２を載置するとフランジ３１は段部１１と蓋板２とで挟まれ、排水トラップ３が固定される。
【００１３】
この排水トラップ３には１対の排水扉３２が設けられている。これら排水扉３２は回動軸３４を中心に揺動することができる。また、上部には錘板３３が取り付けられており、このため、両排水扉３２は互いの下端が接触する方向に回動し、これら下端が互いに接触することにより、排水扉３２は閉まった状態を維持するように構成した。
【００１４】
そして蓋板２の開口を通って排水が排水口１内へ流れ込んでくると、排水は排水扉３２の上部に溜まる。そして、ある程度の量の排水が溜まると、排水の荷重によって両排水扉３２は開き方向に回動する。すると、排水扉３２の下端同士が離れて開くため、排水は排水扉３２の下方へと落下していく。
【００１５】
排水が落下すると両排水扉３２は錘板３３の荷重によってふたたび図１に示す状態に復帰し、排水扉３２が閉まる。なお、多量の排水が流れ込むと排水扉３２は勢いよく開くが、開きすぎると錘板３３が回動軸３４を超えて内側に移動し、もとの状態に復帰できなくなるので、排水扉３２の回動角度を規制するストッパ３５を設けた。
【００１６】
また、この排水トラップ３には、排水が逆流できるように１対の開口３６を開設した。なお、この開口３６を通って害虫やネズミ等が地上へ出てくることを防止するため、開口３６を閉鎖する逆流扉４を設けた。この逆流扉４は逆流扉４の上部を回動軸４１によって保持されており、この回動軸４１を中心に揺動することができる。
【００１７】
したがって、集中豪雨時等の洪水によって排水が排水口１から逆流する際には排水扉３２は開かないが開口３６を通って逆流する排水に押されて逆流扉４が開くようにした。このように排水の逆流時に逆流扉４が開いて排水を逆流させるので、この排水トラップ３が逆流する排水で持ち上げられて外れるという不具合を防止することができる。
【００１８】
なお、上記実施の形態では逆流扉４を排水扉３２とは別個に設けたが、排水扉３２に開口を形成し、その開口を上方から閉塞するように逆流扉を排水扉に取り付けてもよい。また、排水口１の形状が異なる場合には排水トラップ３全体を排水口１の形状に合わせて各々製作してもよいが、フランジ３１のみを排水口の形状に合わせて、他の部分は共通の部品を用いてもよい。
【００１９】
【発明の効果】
以上の説明から明らかなように、本発明は、既存の排水口に何らの工事をすることなく取り付けることができ、また、排水が逆流した場合でも排水によって持ち上げられ外れてしまうことがない。
【図面の簡単な説明】
【図１】本発明の一実施の形態の構成を示す図
【図２】排水トラップの構造を示す断面図
【符号の説明】
１  排水口
２  蓋板
３  排水トラップ
４  逆流扉
３２  排水扉
【図１】
2004150171.tif 000003
【図２】
2004150171.tif 000004